(57)【要約】本発明は、構造要素たとえばプレキャストコンクリート梁を建造物のコンクリート杭または類似の支持構造上に支持するブラケットに関する。このブラケットは、少なくとも部分的にコンクリート杭内に打ちこまれた第一の支持部品（１）、を有する。第一の支持部品（１）は、構造要素がコンクリート杭に押しつけられて支えられるように構造要素を支持するブラケット部品（５）を有する。ブラケット部品（５）は、少なくとも部分的にコンクリート杭に打ちこまれた第一の支持部品（１）に、動けるように取りつけられ、コンクリート杭に対するブラケット部品（５）の位置が変えられるようになっている。
2004511689.tif 000002
【特許請求の範囲】
【請求項１】
構造要素たとえばプレキャストコンクリート梁を建造物のコンクリート杭または類似の支持構造上に支持するブラケットであって、
少なくとも部分的にコンクリート杭内に打ちこまれた第一の支持部品（１）、を有し、
第一の支持部品（１）が、構造要素がコンクリート杭に押しつけられて支えられるように構造要素を支持するブラケット部品（５）を有し、
第一の支持部品（１）が、ボルト（６）のためのねじ穴（７）を有し、ブラケット部品（５）が、ボルト（６）が駆動され貫通する通し穴（８）を有し、
ブラケット部品（５）が、少なくとも部分的にコンクリート杭に打ちこまれた第一の支持部品（１）に、ボルト（６）によって、動けるように取りつけられ、コンクリート杭に対するブラケット部品（５）の位置が変えられるようになっている、
ブラケットにおいて、
通し穴（８）の内径がボルト（６）の外径よりも大きく、ボルト（６）がねじ穴（７）にねじ込まれたときに、ブラケット部品（５）が第一の支持部品（１）に対して動けるようになっている、
ことを特徴とするブラケット。
【請求項２】
ブラケット部品（５）が第一の予備成形表面（９）を有し、該表面が、第一の支持部品（１）の第二の予備成形表面（１０）と協働するように構成されていることを特徴とする請求項１に記載のブラケット。
【請求項３】
構造要素がコンクリート杭上に支えられるときに、ブラケット部品（５）に押しつけられて支持されるように構成されている支持板部品（１１）を有することを特徴とする請求項１または請求項２に記載のブラケット。
【請求項４】
支持板部品（１１）がブラケット部品（５）のための凹所（１２）を有することを特徴とする請求項５に記載のブラケット。
【請求項５】
支持板部品（１１）が調節手段（１４）を有し、該手段が、ブラケット部品（５）に対して構造要素を調節し、該要素をブラケット部品（５）に対して実質的に動かないように取りつけるためのものであることを特徴とする請求項３または請求項４に記載のブラケット。
【請求項６】
第二の支持部品（４）が、構造要素のための穴（１６）を与えるためのケーシング部品（１５）を有し、
第二の支持部品（４）がケーシング部品（１５）に取りつけられる、
ことを特徴とする請求項３から請求項５の中のいずれか１つに記載のブラケット。
【請求項７】
第一の支持部品（１）が、構造要素をブラケット部品（５）に固定するように構成されたストッパー（１７）を有することを特徴とする請求項１から請求項６の中のいずれか１つに記載のブラケット。
【請求項８】
ストッパー（１７）が、ボルト（６）によってブラケット部品（５）に取りつけられる独立の部品であることを特徴とする請求項７に記載のブラケット。
【発明の詳細な説明】
【０００１】
本発明は、
構造要素たとえばプレキャストコンクリート梁を建造物のコンクリート杭または類似の支持構造上に支持するブラケットであって、
少なくとも部分的にコンクリート杭内に打ちこまれた（ｃａｓｔ）第一の支持部品、
を有し、
第一の支持部品が、構造要素がコンクリート杭に押しつけられて支えられるように構造要素を支持するブラケット部品を有し、
第一の支持部品が、ボルトのためのねじ穴を有し、ブラケット部品が、ボルトが駆動され貫通する通し穴を有し、
ブラケット部品が、少なくとも部分的にコンクリート杭に打ちこまれた第一の支持部品に、ボルトによって、動けるように取りつけられ、コンクリート杭に対するブラケット部品の位置が変えられるようになっている、
ブラケットに関する。
【０００２】
いくつかの公知のブラケットにおける問題は、これらのブラケットの正しい配置において、梁の縦方向の調節以外は許容されないということである。その結果、たとえば打ちこみ（ｃａｓｔｉｎｇ）における誤差を補正することができない。コンクリート杭は、通常、少なくとも部分的に該コンクリート杭内に打ちこまれた第一の支持部品を備えており、該第一の支持部品がコンクリート杭内で傾斜しているかまたは位置がずれているかする場合、たとえばプレキャストコンクリート梁の一端をコンクリート杭に取りつけるとき、そのような誤差を補正することができない。
【０００３】
この問題の解決策は、ＦＩ ９６００９４号明細書に提案されており、該明細書は、杭その他に打ちこまれた第一の支持部品に対して、垂直方向に位置を変えることのできるブラケット部品を教示している。しかし、この公知の解決策における問題は、垂直方向の調節しかできないということである。
【０００４】
したがって、本発明の目的は、前記問題を解決するブラケットを提供することである。
【０００５】
本発明の目的は、通し穴の内径がボルトの外径よりも大きく、ボルトがねじ穴にねじ込まれたときに、ブラケット部品が第一の支持部品に対して動けるようになっている、ことを特徴とするブラケットによって達成される。
【０００６】
本発明の好ましい実施形態は、従属クレームに開示されている。
【０００７】
本発明のもとになっているアイデアは、ブラケット部品を、コンクリート杭に打ちこまれた第一の支持部品に動けるように配置する、ということである。これにより、建造現場で、コンクリート梁の一端がブラケット部品上に取りつけられたとき、ブラケット部品をコンクリート杭に対して動かすことができ、したがって、コンクリート杭の打ちこみと位置とに関して誤差がある場合、これらを、建造現場で補正することができる。
【０００８】
本発明のブラケットの利点は、コンクリート杭に対する建設ユニットの取りつけに関して、高い精度が実現できる、ということである。
【０００９】
ブラケット部品の通し穴の内径は該通し穴を通るボルトの外径よりも大きいので、本発明の解決策により、二次元の運動を行わせるのが可能になる。すなわち、ボルトをブラケット部品の通し穴に通して、第一の支持部品のねじ穴にねじ込むことにより、ブラケット部品を、コンクリート杭と少なくとも部分的に該杭に打ちこまれた第一の支持部品とに対して、水平および垂直方向に動かすことができる。
【００１０】
また、ブラケット部品の通し穴の内径は該通し穴を通るボルトの外径よりも大きいので、必要であれば、本発明の解決策により、ブラケット部品とコンクリート杭との間の角度を調節することもできる。
【００１１】
本発明のブラケットの第一の好ましい実施形態のブラケット部品は、第一の予備成形表面を有し、該表面は第一の支持部品上の第二の予備成形表面と協働するように構成されている。第一および第二の予備成形表面により、コンクリート梁によってブラケット部品に引起される垂直力成分が、効率良くコンクリート杭に伝達される。
【００１２】
さらに、本発明のブラケットの好ましい実施形態は、構造要素を調節して、該要素をブラケット部品に対して動けないように取りつけるための調節手段を有する。この解決策により、梁によって引起されるねじりをコンクリート杭に伝達することができる。
【００１３】
本発明のブラケットの好ましい実施形態においては、第一の支持部品が、構造要素をブラケット部品に固定するように構成されたストッパーを有する。このストッパーは、コンクリート梁によって第一の支持部品に対して引起される水平力を受けるように構成されている。
【００１４】
以下、添付の図面を参照しつつ、好ましい実施形態に関して、本発明を詳細に説明する。
【００１５】
図は、構造要素（図示せず）たとえばプレキャストコンクリート梁を、建造物のコンクリート杭（図示せず）上または類似の支持構造上に支持するブラケットを示す。構造要素は、コンクリートとは異なる材料たとえば鋼で作られていても良い。
【００１６】
このブラケットは、第一の支持部品１を有し、該部品は少なくとも部分的にコンクリート杭に打ちこまれたものである。図において、第一の支持部品１は長方形板部品である。
【００１７】
図に示す第一の支持部品１は、該支持部品１をコンクリート杭に定着させるために該部品に取りつけられた結合部品２および３を備えている。図において、結合部品は、異形棒鋼２および頭付きのピン３から成る。異形棒鋼２は傾けて配置してあり、異形棒鋼２の中心線の延長部分（図示せず）がコンクリート杭の外部で交わるようになっている。異形棒鋼２のこの好ましい配置により、せん断力の偏心によって引起されるひずみを減少させることができる。
【００１８】
図に示すブラケットは、さらに、第二の支持部品４を有し、該部品は少なくとも部分的に構造要素内に打ちこまれる。また、構造要素を第一の構造要素１上に支持できるように、構造要素を成形すなわち打ちこむこともできる。たとえば、構造要素は凹所を有することができる（図示せず）。
【００１９】
第一の支持部品１は、ブラケット部品５を有し、該部品上に、構造要素を支持して、構造要素がコンクリート杭に対して支持されるようにすることができる。図面に示す構造要素は、構造要素内に配置される第二の支持部品４によって、ブラケット部品５上に支持される。図の第一の支持部品１は、ブラケット部品５を除いて、実質的に完全にコンクリート杭内に配置することができる。図の第一の支持部品１は、コンクリート杭内に配置して、コンクリート杭の外表面の一部を形成するようにすることができる。第一の支持部品１の、コンクリート杭の外部に残る部分は、たとえば収縮（ｓｈｒｉｎｋ）プラスチックによって、打ちこみ期間中保護することができる。
【００２０】
ブラケット部品５は、第一の支持部品１に対して動けるように配置して、コンクリート杭に対するブラケット部品５の位置が変えられるようにする。
【００２１】
図において、ブラケット部品５は、ボルト６によって、第一の支持部品に、取りはずせるように取りつけられる。ボルト６のために、第一の支持部品１はねじ穴７を有し、ブラケット部品５は通し穴８を有する。第一の支持部品１のねじ穴７は、また、たとえば、第一の支持部品１をコンクリート杭内に打ちこむ必要がある場合に、第一の支持部品１をねじ穴７を通るボルトによって型枠に固定することができる、という点でも有用である。
【００２２】
ブラケット部品５の通し穴８の直径は、ボルト６の外径よりも大きく、ボルト６がねじ穴７内にねじ込まれたとき、ブラケット部品５を第一の支持部品１に対して動かすことができるようになっている。通し穴８は、円形でなくても良く、ボルト６がねじ穴７内にねじ込まれたとき、ブラケット部品５を第一の支持部品１に対して動かすことができるような他の形とすることができる。
【００２３】
図においては、ブラケット部品５は、第一の支持部品１の第二の予備成形表面１０と協働するように構成された第一の予備成形表面９を有する。第一の支持部品１は、第二の予備成形表面１０がコンクリート杭の外側表面の一部分を形成するように、コンクリート杭内に打ちこむようにする。第一の予備成形表面９と第二の予備成形表面１０は、構造要素によってブラケット部品５に引起される力を第一の支持部品１を通じてコンクリート杭に伝達することを意図するものである。図において、第一の予備成形表面９に溝がつけてあり、第二の予備成形表面１０には、対応する溝が備えてある。
【００２４】
図に示す第二の支持部品４は、構造要素がコンクリート杭上に支持されるときに、ブラケット部品５に押しつけて支持されるように構成された支持板部品１１を有する。支持板部品１１はブラケット部品５のための凹所１２を有する。凹所１２は、凹所１２内に配置されるブラケット部品５が容易に該凹所内にはいり込むことができるような、寸法と形状にする。これにより、ブラケット部品５によって支持される構造要素の移動が可能になる。
【００２５】
支持板部品１１とブラケット部品５は、合せ面１３ａと１３ｂを有し、これらは少なくとも部分的に湾曲している。したがって、たとえば構造的なねじり（ｔｗｉｓｔｉｎｇ　ａｎｄ　ｔｏｒｓｉｏｎ）が点荷重（集中荷重）を生じることがなく、荷重が面全体に均一に分布する。
【００２６】
支持板部品１１は、好ましくは、構造要素を調節し、該要素をブラケット部品５したがってコンクリート杭に対して実質的に動かないように取りつけるための調節手段１４を有する。図において、これらの調節手段１４は、ねじを切ったスリーブ２０内に取りつけられた調節ボルト１９を有し、これらのボルトは該ボルトが密着するブラケット部品５の両側面に配置される。図に示す凹所１２は、凹所１２内に配置されるブラケット部品５が該凹所内にはいり込むことができるような寸法と形状であるため、構造要素を、調節ボルト１９を締めたりゆるめたりすることにより、コンクリート杭に対して移動させることができる。したがってたとえば、ブラケット部品５が傾斜している場合、コンクリート梁をボルト調節（ｗｉｎｄｉｎｇ）によってまっすぐにすることができる。さらに、調節ボルト１９は、コンクリート梁がその軸線のまわりに回転するのを防ぐ。
【００２７】
図に示す第二の支持部品４は、さらに、構造要素のための穴１６を与えるケーシング部品１５を有する。支持板部品１１は、ケーシング部品１５に取りつけられて、穴１６として作用するケーシング部品１５の一部を構成する。
【００２８】
構造要素が鋼製である場合、支持板部品１１を、たとえば溶接によって、構造要素に取りつけることができ、あるいは該部品を、構造要素に成形された部分１１とすることができる。
【００２９】
第一の支持部品１は、好ましくは、ブラケット部品５上に構造要素を固定するように構成されたストッパー１７を有する。ストッパー１７は、また、構造に作用する水平力を伝達するようにする。
【００３０】
コンクリート杭の側から見ると、図に示すストッパー１７は、第二の支持部品４に属する支持板部品１１の背後に来るように配置されている。
【００３１】
図のストッパー１７は、ボルト６によってブラケット部品５に取りつけられた独立部品であり、このボルトは、ストッパー１７およびブラケット部品５を第一の支持部品１に取りつけるのにも使用されている。ストッパー１７をできるだけ薄くし、ボルト６に作用する荷重をできるだけ小さくすることができるように、図に示すブラケットに加わる力が、ストッパー１７の側面に備えられたラグ１８によって伝達されるようにすることができる。
【００３２】
当業者には明らかなように、技術の進歩により、本発明の基本アイデアをいろいろなやり方で実施することができる。したがって、本発明とその実施形態は、上述の例に限定されるものではなく、特許請求の範囲に示す範囲内で変更することができる。
【図面の簡単な説明】
【図１】
ブラケットの分解図である。
【図２】
ブラケットの分解図である。
【図３】
ブラケットの側面図である。
【図４】
構造要素側から見たブラケットの図である。
【図５】
ブラケットの上面図である。
【符号の説明】
１　第一の支持部品
２　結合部品（異形棒鋼）
３　結合部品（頭付きのピン）
４　第二の支持部品
５　ブラケット部品
６　ボルト
７　ねじ穴
８　通し穴
９　第一の予備成形表面
１０　第二の予備成形表面
１１　支持板部品
１２　凹所
１３ａ、１３ｂ　合せ面
１４　調節手段
１５　ケーシング部品
１６　構造要素のための穴
１７　ストッパー
１８　ラグ
１９　調節ボルト
２０　ねじを切ったスリーブ
【国際公開パンフレット】
2004511689.tif 000003
2004511689.tif 000004
2004511689.tif 000005
2004511689.tif 000006
2004511689.tif 000007
2004511689.tif 000008
2004511689.tif 000009
2004511689.tif 000010
2004511689.tif 000011
2004511689.tif 000012
2004511689.tif 000013
2004511689.tif 000014
2004511689.tif 000015
【国際調査報告】
2004511689.tif 000016
2004511689.tif 000017
2004511689.tif 000018